(57)【要約】【課題】  本発明は、複雑な表面デザインを有するＡＬＣパネル等の外壁パネルの表面デザインを、忠実に再現でき、作業性・運搬性・施工性のよい外構用パネルを提供することを目的とする。【解決手段】  本発明に係る外構用パネルの代表的な構成は、凹凸加工により化粧溝や凹凸模様等の表面デザインが施された建物２の外壁パネル４から表面デザインを型取りした型14を用いて、外壁パネル４と同一の表面形状を形成したことを特徴とする。【選択図】      図１
2006052565.tif 000002
【特許請求の範囲】
【請求項１】
凹凸加工により化粧溝や凹凸模様等の表面デザインが施された建物の外壁パネルから表面デザインを型取りした型を用いて、前記外壁パネルと同一の表面形状を形成したことを特徴とする外構用パネル。
【請求項２】
繊維補強セメントにて形成したことを特徴とする請求項１に記載の外構用パネル。
【請求項３】
ＡＬＣの粉砕物を含むことを特徴とする請求項１又は請求項２に記載の外構用パネル。
【請求項４】
下地となる塀部材に請求項１乃至請求項３のいずれか１項に記載の外構用パネルを貼着したことを特徴とする塀構造。
【請求項５】
請求項４に記載の塀と、該塀を構成する外構用パネルの原型となった外壁パネルを有する建物と、からなることを特徴とする塀付建物。 
【発明の詳細な説明】
【技術分野】
【０００１】
本発明は、外構を構成する塀や門袖などの壁面に用いられる外構用パネルに関するものである。
【背景技術】
【０００２】
従来から、ＡＬＣパネル等のコンクリート系外壁パネルで外壁が構成された建物において、建物の外観に意匠性を持たせるために、外壁パネルの表面の加工が行われている。従来は、直線的で単純な化粧溝を彫ることが主流であったが、近年は加工技術の進歩によって、外壁パネルのデザインバリエーションは多岐にわたっている。例えば、曲線の化粧溝加工を施したり、剥離用具で衝撃を加えて複雑な凹凸模様を形成して自然石調の仕上げにすることなどが可能となっている（例えば特許文献１参照）。
【０００３】
一方、従来から、建物と外壁との調和をはかるために、外構を構成する塀や門袖などの壁面を建物の外壁と同一の仕上げ（材質、形状、色）とすることが行われている。例えば、建物の外壁と同一の汎用のタイル等を外構の塀に使用することが行われている。
【０００４】
また、建物の外壁の表面デザインが汎用のタイル等を使用しないオリジナルのデザインであっても、直線と平面のみの組み合わせで、単純な化粧溝パターンであれば、型枠を加工して外壁に似せた化粧溝のＲＣ（鉄筋コンクリート）構造の外構の塀を形成することも行われている。
【０００５】
【特許文献１】特開２０００−１６９２６４
【発明の開示】
【発明が解決しようとする課題】
【０００６】
しかしながら、建物の外壁が、前述のような複雑な凹凸模様を有するＡＬＣパネル等の外壁パネルによって構成されている場合、タイル等の汎用品で仕上げることや、型枠を加工したＲＣ構造の塀とすることでは、外構の塀等を建物の外壁と同一の表面デザインにすることはできないという問題があった。
【０００７】
また、建物の外壁がＡＬＣパネル等の軽量コンクリートパネルの場合に、塀にも同様のパネルを使用することも考えられる。しかし、この場合、パネルの加工時や運搬時に割れることを防ぐ為にパネル自体にある程度の厚みが必要で、かつ塀としての強度を持たせる為には、コンクリートブロック等の下地となる構造体が必要であり、全体として塀の厚みが増して外部空間の有効利用が困難となるという問題があった。また、軽量コンクリートパネルの吸水による劣化を防ぐ為に建物の場合と同様の防水処理が必要になるという問題があった。
【０００８】
そこで本発明は、複雑な表面デザインを有するＡＬＣパネル等の外壁パネルの表面デザインを、忠実に再現でき、作業性・運搬性・施工性のよい外構用パネルを提供することを目的とする。
【課題を解決するための手段】
【０００９】
上記課題を解決するために本発明に係る外構用パネルの第１の構成は、凹凸加工により化粧溝や凹凸模様等の表面デザインが施された建物の外壁パネルから表面デザインを型取りした型を用いて、前記外壁パネルと同一の表面形状を形成したことを特徴とする。
【００１０】
但、ここで言う「同一の表面形状」とは、外壁パネルの生産ロットの違いにより、型取りに利用した外壁パネルと、建物の外壁に取り付けられる外壁パネルとの間に若干の表面形状の違いが生じる場合も含むものとする。
【００１１】
また、本発明に係る外構用パネルの第２の構成は、前記第１の構成において、繊維補強セメントにて形成したことを特徴とする。
【００１２】
また、本発明に係る外構用パネルの第３の構成は、前記第１又は第２の構成において、ＡＬＣの粉砕物を含むことを特徴とする。
【００１３】
また、本発明に係る塀構造の構成は、下地となる塀部材に前記第１〜第３のいずれかの構成の外構用パネルを貼着したことを特徴とする。
【００１４】
また、本発明に係る塀付建物の構成は、前記第３の構成の塀と、該塀を構成する外構用パネルの原型となった外壁パネルを有する建物と、からなることを特徴とする。
【発明の効果】
【００１５】
以上説明したように、第１の構成の外構用パネルでは、ＡＬＣパネル等の外壁パネルの複雑な表面デザインを、忠実に再現できる。
【００１６】
また、第２の構成の外構用パネルは、軽量かつ高強度である為、肉厚で大判の外構用パネルの成形が可能であり、表面デザインのパターンが大きな外壁パネルに対応し、パネルの途中に不自然なつなぎ目を生じることなく外構の塀を構成することができる。さらに、下地に制約がなく既存の塀を下地として利用できる。
【００１７】
また、第２の構成の外構用パネルでは、軽量化を図ることができるとともに、ＡＬＣ等の軽量コンクリートに非常に近い質感を出すことができる。
【００１８】
また、本発明の塀構造では、建物と同様の外観意匠を有する塀を敷設することができる。
【００１９】
また、本発明の塀付建物では、塀と建物の外壁パネルの表面デザインを同一として、全体として統一感のある塀付建物とすることができる。
【発明を実施するための最良の形態】
【００２０】
［第一実施形態］
本発明に係る外構用パネルの第一実施形態について、図を用いて説明する。図１は本実施形態にかかる外構用パネルを用いた塀付建物の斜視図である。図１に示すように、塀付建物１は、建物２の外部空間に外構の塀３を敷設している。
【００２１】
建物２の外壁パネル４は、凹凸加工により化粧溝や凹凸模様等の複雑な表面デザインが施されたＡＬＣパネルとなっている。ＡＬＣ（Autoclaved Light weight Concrete）パネルは、オートクレープ(高温高圧蒸気)養生して作った軽量気泡コンクリートパネルであり、アルミ粉末入りモルタルを素材にし、板状に形成されている。
【００２２】
外壁パネル４の表面デザインは、建物２の外観に意匠性を持たせるために、板状のＡＬＣパネルに切削工具で曲線の化粧溝加工を施したり、剥離用具で衝撃を加えて複雑な凹凸模様を形成して自然石調の仕上げにすることなどの凹凸加工を施すことで形成されている。また、かかるデザインは、多種多様化、複雑化が進んでおり、各建物の外壁毎に独自のデザインとすることができる。
【００２３】
図２は外壁パネルの表面デザインの説明図である。図２（ａ）〜図２（ｃ）に示すように、外壁パネル４には、化粧溝４ａの幅を変えたり、化粧溝４ａの角等を剥離させることで、様々な表面デザインを施すことができる。また、剥離は、剥離用具で衝撃により行われるため、タイル等のように同じデザインにならず、ユニークなデザインとすることができる。
【００２４】
尚、本発明の外壁パネル４はＡＬＣパネルに限定されるものではなく、複雑な加工を施した様々な外壁パネルに好適に適用できる。
【００２５】
ＧＲＣ（Glass fiber Reinforced Cement；ガラス繊維強化セメント）は、モルタルに耐アルカリガラス繊維を混入し補強したもので、従来のセメント製品に比べて、耐衝撃性に優れている、靭性に富み、ひび割れ抵抗が大きい、薄肉成形が可能なため軽量化できる等の優れた特長を有しており、薄肉かつ大判のパネルを成形する材料として好適に使用されている。
【００２６】
また、ＧＲＣを外構用パネルとして使用する場合、所定の強度を維持しうる範囲内で、骨材としてＡＬＣの粉砕物を混入することで、外構用ＧＲＣパネル６（外構用パネル）を軽量化することや、ＡＬＣパネル等の軽量コンクリートに非常に近い質感を出すことができる。
【００２７】
図３は塀の構成図である。図３に示すように、塀３は、下地となる壁部材５に外構用ＧＲＣパネル６を貼着して形成された壁構造となっている。図３（ａ）に示すように、壁部材５として一般のコンクリートブロック22（ＣＢ）を積み上げたものを用いてもよい。また、図３（ｂ）に示すように、壁部材５として鉄筋コンクリート23の壁を用いても良い。壁部材５は、この他にＲＣ、鉄骨、アルミ構造材を枠組みした構造フレーム等の様々な構造材を用いることができ、既存のＲＣやＣＢの塀を利用したものでもよい。
【００２８】
また、外構用ＧＲＣパネル６は、外構の塀３のみならず、建物２に付随する門袖などの壁面に取り付けてもよい。これにより、凹凸加工により化粧溝や凹凸模様等の表面デザインが施された外壁パネル４を備えた建物２と、建物２の外部空間に敷設した外構の塀３等との表面デザイン（表面形状）を同一とすることができる。このため、建物２と同様の外観意匠を有する塀３を敷設することができ、全体として統一感のある塀付建物１とすることができる。
【００２９】
図４は塀の敷設方法の説明図である。塀３を敷設するために、まず図４（ａ）に示すように、一般のコンクリートブロック（ＣＢ）等を目地モルタルを用いて積み上げて下地となる壁部材５を形成する。
【００３０】
そして、図４（ｂ）、図４（ｃ）に示すように、壁部材５の壁面に接着剤やモルタル７を塗り、外構用ＧＲＣパネル６を貼り付けることで、塀３が敷設される。外構用ＧＲＣパネル６は薄く軽量のため、接着剤やモルタル７での固定が可能であり、パネルの表面に固定の跡を残さずに仕上げることができるが、固定方法はこれに限定されるものではなく、ビスやボルト等で固定してもよい。
【００３１】
ここで、外構用ＧＲＣパネル６の成形方法について、図を用いて説明する。図５は本実施形態にかかる外構用ＧＲＣパネルの成形方法の説明図である。図５（ａ）、図５（ｂ）に示すように、建物２の外壁に貼り付ける前の外壁パネル４の凹凸加工した側に、シリコン、ウレタン等の樹脂を流し込んで硬化させ合成樹脂型９を形成する。合成樹脂型９は、外壁パネル４の表面デザインを型取りしたものであり、その型取りする範囲は、壁部材５の表面デザインに合わせて設定できる。
【００３２】
図５（ｃ）に示すように、合成樹脂型９に石膏を流し込んで硬化させた石膏型10を形成する。図５（ｄ）に示すように、石膏型10にアルミを流し込んで硬化させたアルミ型15を形成する。この際、アルミ型15に孔15ａが穿孔されるようにする。図５（ｅ）、図５（ｆ）に示すように、アルミ型15に合成樹脂フィルム13を載置し、孔15ａから合成樹脂フィルム13を吸引して合成樹脂フィルム13をアルミ型15の形状に変形させる。変形させた状態で光や熱により合成樹脂フィルム13を硬化させて型14を形成する。
【００３３】
図５（ｇ）、図５（ｈ）に示すように、型14のアルミ型15に接していなかった側にＧＲＣを流し込み、ＧＲＣを固めた後、成形品を型14から取り出して、外壁パネル４と同一の表面形状を形成した外構用ＧＲＣパネル６を形成する。
【００３４】
［第二実施形態］
本発明に係る外構用パネルの第二実施形態について、図を用いて説明する。図６は本実施形態にかかる外構用パネルの成形方法の説明図である。図６に示すように、外構用ＧＲＣパネル６は、上記第一実施形態の合成樹脂フィルム13を用いて型17を形成し、原型のアルミ型16に接していた側にＧＲＣを流し込んで硬化させて外構用ＧＲＣパネル６を形成するものである。
【００３５】
以下、外構用ＧＲＣパネル６の成形方法について説明する。図６（ａ）、図６（ｂ）に示すように、建物２の外壁に貼り付ける前の外壁パネル４の凹凸加工した側に、シリコン、ウレタン等の樹脂を流し込んで硬化させ合成樹脂型９を形成する。合成樹脂型９は、外壁パネル４の表面デザインを型取りしたものであり、その型取りする範囲は、壁部材５の表面デザインに合わせて設定できる。
【００３６】
図６（ｃ）に示すように、合成樹脂型９に石膏を流し込んで硬化させた石膏型10を形成する。図６（ｄ）に示すように、石膏型10にゴムを流し込んで硬化させたゴム型11を形成する。
【００３７】
図６（ｅ）に示すように、ゴム型11にアルミを流し込んで硬化させたアルミ型16を形成する。この際、アルミ型16に孔16ａが穿孔されるようにする。図６（ｆ）、図６（ｇ）に示すように、アルミ型16に合成樹脂フィルム13を載置し、孔16ａから合成樹脂フィルム13を吸引して合成樹脂フィルム13をアルミ型16の形状に変形させる。変形させた状態で光や熱により合成樹脂フィルム13を硬化させて型17を形成する。
【００３８】
図６（ｈ）、図６（ｉ）に示すように、型17のアルミ型16に接していた側にＧＲＣを流し込み、ＧＲＣを固めた後、成形品を型17から取り出して、外壁パネル４と同一の表面形状を形成した外構用ＧＲＣパネル６を形成する。
【００３９】
このように、合成樹脂フィルム13により型17を形成し、原型のアルミ型16に接していた側にＧＲＣを流し込み、外構用ＧＲＣパネル６を形成することで、合成樹脂フィルム13の厚みに影響されることなく、外壁パネル４の表面形状を忠実に再現することができる。このため、塗膜が薄く、下地の形状がそのまま現れる塗装を施す場合に有効である。
【００４０】
以上、外構用パネルにＧＲＣを使用した場合の例を説明したが、外構用パネルの補強に用いられる繊維はガラスに限定されるものではなく、木等の植物繊維、ポリエチレンやポリプロピレン等の合成樹脂繊維、炭素繊維等、所望の強度や耐久性に応じて様々な繊維を用いることができる。
【産業上の利用可能性】
【００４１】
本発明の活用例として、建物に付随する外構を構成する塀や門袖のみならず、内壁等にも外構用ＧＲＣパネル６を取り付けて、建物の外壁と同一の仕上げすることにも適用することが可能である。
【図面の簡単な説明】
【００４２】
【図１】第一実施形態にかかる建物と外構用パネルを用いた塀の斜視図である。
【図２】外壁パネルの表面デザインの説明図である。
【図３】塀の構成図である。
【図４】塀の敷設方法の説明図である。
【図５】外構用パネルの成形方法の説明図である。
【図６】第二実施形態にかかる外構用パネルの成形方法の説明図である。
【符号の説明】
【００４３】
１…塀付建物、２…建物、３…塀、４…外壁パネル、４ａ…化粧溝、５…壁部材、６…外構用ＧＲＣパネル（外構用パネルに対応）、７…モルタル、14、17…型、９…合成樹脂型、10…石膏型、11…ゴム型、13…合成樹脂フィルム、15、16…アルミ型、15ａ、16ａ…孔、22…コンクリートブロック、23…鉄筋コンクリート
【図３】
2006052565.tif 000003
【図５】
2006052565.tif 000004
【図６】
2006052565.tif 000005
【図１】
2006052565.tif 000006
【図２】
2006052565.tif 000007
【図４】
2006052565.tif 000008